(57)【特許請求の範囲】
【請求項１】
紙幣束を長手方向に水平且つ直線的に搬送する紙幣搬送路と、
前記紙幣搬送路の一端に設けられ、紙幣束を受け入れ及び返却する入金返却口と、
前記紙幣搬送路の他端に設けられ、搬送されてきた紙幣束から紙幣を一枚ずつ繰り出す繰出部と、
前記繰出部から繰り出された紙幣が入金可能であるか否かを識別する識別部と、
前記識別部で入金不能とされたリジェクト紙幣を前記紙幣搬送路に搬送する返却紙幣搬送路と、
前記紙幣搬送路中に設けられ、前記リジェクト紙幣を集積させて一時的に保留するリジェクト紙幣集積部と、
を備え、
前記入金返却口を介して紙幣を出し入れするようにしたことを特徴とする紙幣入金装置。
【請求項２】
前記識別部で入金可能とされた紙幣を一時的に保留する一時保留部を設け、入金取引キャンセル時に前記一時保留部の紙幣が前記リジェクト紙幣集積部に搬送されるようにしたことを特徴とする請求項１に記載の紙幣入金装置。
【請求項３】
前記リジェクト紙幣集積部、前記繰出部、前記識別部、前記返却紙幣搬送路、及び前記紙幣搬送路がループ状を成していることを特徴とする請求項１に記載の紙幣入金装置。
【請求項４】
前記リジェクト紙幣集積部のリジェクト紙幣を再度前記繰出部に搬送して前記識別部で識別させるようにしたことを特徴とする請求項１に記載の紙幣入金装置。
【発明の詳細な説明】
【０００１】
【発明の属する技術分野】
本発明は、自動預金機、自動両替機等に用いられる紙幣入金装置に関するものである。
【０００２】
【従来の技術】
従来のこの種の装置は、例えば特公昭６３−１９９１６号公報に示すように、顧客が入金しようとする紙幣束を入金口に挿入すると、挿入された紙幣束から繰出部により紙幣が一枚ずつ繰り出され、繰り出された紙幣が識別部で入金可能であるか否かが識別され、入金可能とされた紙幣は一時保留部に収納され、顧客が認証すると本金庫に収納されるようになっている。一方、識別部で入金不能とされたリジェクト紙幣は返却口に搬送され、返却口を介して顧客に返却されるようになっている。
【０００３】
【発明が解決しようとする課題】
上記従来の紙幣入金装置では、入金口と返却口が別個に設けられており、入金口と返却口の間の部分の機械的強度があまり高くないため、入金口または返却口にバール等がこじ入れられて入金口と返却口の間の部分が破壊され、装置内部の紙幣が盗まれることがあった。
【０００４】
このような問題点に鑑みて、金庫内に紙幣入金装置を収納するとともに、金庫の壁に設けた一つの開口部を介して紙幣の出し入れを行うようにした紙幣の取り扱い方式が提案された。
【０００５】
本発明は、このような方式に適合させることにより防盗性の向上を図るとともに、紙幣束を安定して搬送できるようにした紙幣入金装置を提供することを目的としてなされたものである。
【０００６】
【課題を解決するための手段】
上記目的を達成するために、請求項１記載の紙幣入金装置は、紙幣束を長手方向に水平且つ直線的に搬送する紙幣搬送路と、前記紙幣搬送路の一端に設けられ、紙幣束を受け入れ及び返却する入金返却口と、前記紙幣搬送路の他端に設けられ、搬送されてきた紙幣束から紙幣を一枚ずつ繰り出す繰出部と、前記繰出部から繰り出された紙幣が入金可能であるか否かを識別する識別部と、 前記識別部で入金不能とされたリジェクト紙幣を前記紙幣搬送路に搬送する返却紙幣搬送路と、前記紙幣搬送路中に設けられ、前記リジェクト紙幣を集積させて一時的に保留するリジェクト紙幣集積部と、を備え、前記入金返却口を介して紙幣を出し入れするようにしたことを特徴としている。
【０００８】
また、請求項２記載の紙幣入金装置は、請求項１記載の紙幣入金装置において、前記識別部で入金可能とされた紙幣を一時的に保留する一時保留部を設け、入金取引キャンセル時に前記一時保留部の紙幣が前記リジェクト紙幣集積部に搬送されるようにしたことを特徴としている。
【０００９】
また、請求項３記載の紙幣入金装置は、請求項１記載の紙幣入金装置において、前記リジェクト紙幣集積部、前記繰出部、前記識別部、前記返却紙幣搬送路、及び前記紙幣搬送路がループ状を成していることを特徴としている。
【００１０】
また、請求項４記載の紙幣入金装置は、請求項１記載の紙幣入金装置において、前記リジェクト紙幣集積部のリジェクト紙幣を再度前記繰出部に搬送して前記識別部で識別させるようにしたことを特徴としている。
【００１１】
【発明の実施の形態】
以下、本発明の具体的な実施形態を図面を参照しながら説明する。図１は本発明の一実施形態である紙幣入金装置１の概略構成を示す斜視図、図２〜図７は紙幣入金装置１の上部の側面断面図、図８は図７のＡ−Ａ線断面図、図９、１０は紙幣入金装置１による入金処理の手順を示すフローチャートである。
【００１２】
図１に示すように、本実施形態の紙幣入金装置１は、装置本体２の上部前面から前方に向けて突出した直方体状の突出部３を有しており、その先端面に入金返却口４が設けられている。入金返却口４は横長のスロット状のもので、複数枚の紙幣を厚さ方向に重ねた紙幣束または一枚の紙幣をその長手方向に受け入れ及び返却する。なお、図示しないが、紙幣入金装置１は金庫内に収納されており、金庫の壁に開設された開口部を介して入金返却口４を金庫の外部に臨ませた状態となっている。
【００１３】
図２に示すように、突出部３内には、上下方向に対向配置された搬送ベルト５、６が設けられている。下側の搬送ベルト６は上下方向に移動し、上側の搬送ベルト５に対して接離自在となっている。搬送ベルト５、６は、入金返却口４を介して挿入された紙幣束または一枚の紙幣を挟み込み、長手方向に水平且つ直線的に搬送する。
【００１４】
装置本体２の内部における突出部３に隣接した部位には一括取込部８が設けられている。一括取込部８は、ステージ９、プーリ１０、搬送ベルト１１、羽根車１２等を有しており、これらは一体的に上下動する。
【００１５】
一括取込部８の上方には、前後方向に延びる搬送ベルト１３が設けられており、一括取込部８は、この搬送ベルト１３の前端部下面に対して接離自在となっている。搬送ベルト５、６により一括取込部８に搬送されてくる紙幣束または一枚の紙幣は、ステージ９及び搬送ベルト１１により水平に支持されるとともに搬送ベルト１３との間に挟み込まれて長手方向に水平且つ直線的に搬送される。
【００１６】
羽根車１２は可撓性材料から成る羽根１２ａを複数枚有しており、後述するリジェクト紙幣集積部１４に支持されたリジェクト紙幣の後端部上面をこの羽根１２ａで浮き上がらないように押さえ、続けてリジェクト紙幣集積部１４に搬送されてくるリジェクト紙幣がスムーズにリジェクト紙幣集積部１４内に進入することができるようにしている。
【００１７】
一括取込部８の後方にはリジェクト紙幣集積部１４が設けられている。リジェクト紙幣集積部１４は、搬送ベルト１３の下方に配置されたステージ１５、搬送ベルト１６等を有している。
【００１８】
ステージ１５は上下動し、搬送ベルト１３の中間部下面に対して接離自在となっている。搬送ベルト１６は、後端側の上面がステージ１５の上面とほぼ面一で、ステージ１５が上下動すると、この状態を維持しながら前端側の支軸１７を支点として垂直面内で回動するようになっている。一括取込部８から搬送されてくる紙幣束または一枚の紙幣はステージ１５及び搬送ベルト１６により水平に支持されるとともに搬送ベルト１３との間に挟み込まれて長手方向に水平且つ直線的に搬送される。
【００１９】
リジェクト紙幣集積部１４の後方には繰出部１８が設けられている。繰出部１８は、搬送ベルト１３の下方に配置されたステージ１９、搬送ベルト２０、搬送ベルト１３の後方に配置された羽根車２１、キッカローラ２２、フィードローラ２３、逆転ローラ２４等を有している。
【００２０】
ステージ１９は上下動し、搬送ベルト１３の後端部下面に対して接離自在となっている。搬送ベルト２０は、その前端側の上面がステージ１９の上面とほぼ面一で、ステージ１９が上下動すると、この状態を維持しながら後端側の支軸４５を支点として垂直面内で回動するようになっている。リジェクト紙幣集積部１４から搬送されてくる紙幣束または一枚の紙幣はステージ１９及び搬送ベルト２０により水平に支持されるとともに搬送ベルト１３との間に挟み込まれて長手方向に水平且つ直線的に搬送される。
【００２１】
羽根車２１は可撓性材料から成る複数枚の羽根２１ａを有しており、時計まわり方向に回転し、ステージ１９上に支持された紙幣束から最上位の紙幣のみを後方に向けて繰り出す。キッカローラ２２及びフィードローラ２３は周面の一部に高摩擦部を有しており、時計まわり方向に回転し、羽根車２１により繰り出された紙幣を後方に向けて搬送する。逆転ローラ２４はフィードローラ２３と同じ方向に回転し、最上位の紙幣以外の紙幣が後方に搬送されるのを阻止する。
【００２２】
また、繰出部１８とリジェクト紙幣集積部１４の間にはストッパ２５が設けられている。このストッパ２５は、搬送ベルト５、６、１１、１３、１６等によって形成される紙幣搬送路Ｒ（図４参照）内に突出した状態と紙幣搬送路Ｒ外に退避した状態とを選択的に取り得るようになっており、紙幣搬送路Ｒ中に突出したときには紙幣が繰出部１８内に進入するのを阻止する。
【００２３】
入金返却口４から挿入された紙幣束がリジェクト紙幣集積部１４に搬送される際、紙幣束を構成する複数枚の紙幣が搬送方向にばらけた状態になることがある。図示しないセンサが紙幣の先端が到来したのを検知した時、ストッパ２５が紙幣搬送路Ｒ内に突出する。これにより、リジェクト紙幣集積部１４内に送り込まれた各紙幣は、先端がストッパ２５に当接するまで搬送されて停止するため、先端が一致し、搬送方向にばらけた状態が矯正される。
【００２４】
繰出部１８により繰り出された紙幣は搬送ベルト２６、２７を介して識別部２８に送り込まれ、ここで紙幣の真偽が識別される。その識別結果はマイクロコンピュータから成る制御手段（図示せず）のメモリに記憶される。そして、紙幣は搬送ベルト２９〜３１等を介して一時保留部３２に送り込まれる。一時保留部３２は、方向変換機構３３、ステージ３４、繰出機構３５等を有している。
【００２５】
図８に示すように、方向変換機構３３は、長手搬送ローラ３６、短手搬送ローラ３７、従動ローラ３８、ストッパ３９等を有している。識別部２８から空隙Ｇ内に紙幣が搬送されてくると、その紙幣が入金可能な紙幣（以下、正規紙幣と記す）の場合には、方向変換機構３３は、その紙幣を短手搬送ローラ３７により図８の右方向に搬送し、通路Ｗ内を通過させる。これにより、紙幣は上下が反転してステージ３４上に落下する。
【００２６】
ストッパ３９は、続けてステージ３４上に搬送されてくる紙幣の搬送を阻害しないようにステージ３４上の紙幣の上面を押さえるものであり、ステージ３４上に搬送されてくる紙幣は、ストッパ３９を押しのけてステージ３４上に集積してゆく。なお、ステージ３４は上下方向に移動するようになっている。ステージ３４の下方には、装置本体２に着脱自在の紙幣収納箱４０（図１参照）が設けられており、顧客が自動預金機等の操作パネル（図示せず）で入金を認証する旨の情報を入力すると、ステージ３４がスライドしてステージ３４上に集積した紙幣が紙幣収納箱４０内に落下するようになっている。
【００２７】
紙幣が入金不能な紙幣（以下、リジェクト紙幣と記す）の場合には、方向変換機構３３は、その紙幣を長手搬送ローラ３６により装置本体２の前方（図２の右方向）に搬送する。そして、その紙幣は、搬送ベルト４１、１１等によって形成される返却紙幣搬送路Ｒ’（図４参照）を介してリジェクト紙幣集積部１４に搬送される。
【００２８】
繰出機構３５は、キッカローラ４２、フィードローラ４３、逆転ローラ４４等を有している。キッカローラ４２及びフィードローラ４３は周面の一部に高摩擦部を有しており、時計まわり方向に回転する。キッカローラ４２は、ステージ３４上に集積した紙幣を最上位から一枚ずつ繰り出し、フィードローラ４３は、キッカローラ４１が繰り出した紙幣を搬送ローラ４５、４６間に搬送する。逆転ローラ４４はフィードローラ４３と同じ方向に回転し、最上位の紙幣以外の紙幣が搬送されるのを阻止する。
【００２９】
次に、この紙幣入金装置１の動作を図９、１０のフローチャートを参照しつつ説明する。図２に示す状態において、顧客が入金返却口４に紙幣束を長手方向に挿入する（ステップ＃１０）と、図３に示すように、搬送ベルト６の前端部が下がるとともに一括取込部８が下端位置に移動する。そして、搬送ベルト６が紙幣束を搬送ベルト５との間に挟み込み、搬送ベルト５、６が回転して紙幣束を一括取込部８に搬送する（ステップ＃２０）。
【００３０】
紙幣束の前端部が一括取込部８に達すると、図４に示すように、一括取込部８が上昇して紙幣束Ｂ．Ｐを搬送ベルト１３との間に挟み込むとともに、リジェクト紙幣集積部１４のステージ１５が中間位置に移動する。そして、搬送ベルト１１、１３が回転して紙幣束Ｂ．Ｐをリジェクト紙幣集積部１４に搬送する（ステップ＃３０）。
【００３１】
紙幣束Ｂ．Ｐがリジェクト紙幣集積部１４に達すると、図５に示すように、ステージ１５が上昇して紙幣束Ｂ．Ｐを搬送ベルト１３との間に挟み込む。そして、ストッパ２５が搬送経路外に退避するとともに、搬送ベルト１３、１６が回転して紙幣束Ｂ．Ｐを繰出部１８に搬送する（ステップ＃４０）。
【００３２】
紙幣束Ｂ．Ｐが繰出部１８の所定の位置の略半分に達すると、ステージ１９が上昇して紙幣束Ｂ．Ｐを搬送ベルト１３との間に挟み込み、搬送ベルト１３、２０が回転して紙幣束Ｂ．Ｐを所定の位置まで搬送する。そして、ステージ１９が一端下降した後、再び上昇し、図６に示すように、繰り出しに適した高さで停止する。また、一括取込部８が上端位置に移動し、ステージ１５が下方に移動し、ストッパ２５が搬送経路内に突出する。
【００３３】
次に、羽根車２１が回転して紙幣束Ｂ．Ｐの最上位の紙幣を後方に繰り出すとともに、キッカローラ２２、フィードローラ２３が回転してこの紙幣を搬送ベルト２６、２７に向けて搬送する。このとき、最上位以外の紙幣の繰り出しが逆転ローラ２４により阻止される。搬送ベルト２６、２７は、搬送されてきた紙幣を識別部２８に搬送する（ステップ＃５０）。
【００３４】
識別部２８は、搬送されてきた紙幣の真偽を識別し、その識別結果は制御手段のメモリに記憶される。識別部２８を通過した紙幣は搬送ベルト２９〜３１により一時保留部３２に搬送される（ステップ＃６０）。搬送されてきた紙幣が正規紙幣の場合には、方向変換機構３３は、その紙幣を短手搬送ローラ３７によりステージ３４上に搬送する（ステップ＃７０、＃８０）。
【００３５】
また、一時保留部３２に搬送されてきた紙幣がリジェクト紙幣の場合には、方向変換機構３３は、この紙幣を長手搬送ローラ３６により装置本体２の前方に搬送する。そして、この紙幣は、返却紙幣搬送路Ｒ’を介してリジェクト紙幣集積部１４に搬送される（ステップ＃７０、＃９０）。図７は、繰出部１８からの紙幣の繰り出しが終了した状態を示している。
【００３６】
金庫の外側に設けられた自動預金機等の画面に入金可能な紙幣の総額が表示されるので、顧客が操作パネルで入金を認証する旨の情報を入力すると、ステージ３４が最下位置まで下降した後、スライドし、その上面に集積した紙幣が紙幣収納箱４０内に落下し、入金処理が終了する（ステップ＃１００、＃１１０）。一方、リジェクト紙幣集積部１４のリジェクト紙幣は紙幣搬送路Ｒを介して入金返却口４に搬送され、入金返却口４を介して顧客に返却される（ステップ＃１２０）。
【００３７】
なお、自動預金機等の画面に入金可能な金額が表示された際に、顧客が入金を中止する旨の情報を入力すると、ステージ３４上の紙幣は繰出機構３５によって繰り出され、方向変換機構３３、返却紙幣搬送路Ｒ’を介してリジェクト紙幣集積部１４に搬送される。そして、この紙幣はリジェクト紙幣とともに紙幣搬送路Ｒを介して入金返却口４に搬送され、入金返却口４を介して顧客に返却される（ステップ＃１００、＃１３０、＃１４０）。
【００３８】
この紙幣入金装置１は、一つの入金返却口４を介して紙幣を出し入れするようになっており、金庫の壁に設けた小さな開口部を介して入金返却口４のみを外部に臨ませた状態になっているので、金庫内に収納されている紙幣入金装置１を破壊して紙幣を盗むのは極めて困難であり、防盗性が高い。
【００３９】
また、この紙幣入金装置１では、入金返却口４から繰出部１８に至る紙幣搬送路Ｒが紙幣束を長手方向に水平且つ直線的に搬送するように形成されており、紙幣束を湾曲させることがないとともに、紙幣を短手方向に搬送する場合に比べて搬送機構の接触面積が大きいため、搬送中に紙幣が搬送方向にばらけにくく、安定して搬送することができる。
【００４０】
なお、リジェクト紙幣集積部１４のリジェクト紙幣を再度繰出部１８に搬送し、識別部２８で識別させるようにしてもよい。このようにすると、リジェクト紙幣が再度の識別でＯＫとなって返却紙幣が無くなる場合もあるため、顧客が紙幣を再度入金処理する必要がなくなり、手間が低減するという利点が有る。
【００４１】
なお、上述した実施形態では、紙幣束を入金処理する場合について説明したが、一枚の紙幣の場合も同様に入金処理される。
【００４２】
また、本発明は上述した実施形態に限定されるものではなく、本発明の要旨を逸脱しない範囲で上述した実施形態に種々の変形を施すことができる。
【００４３】
【発明の効果】
以上説明したように本発明の紙幣入金装置は、金庫内に収納するとともに金庫の壁に設けた開口部を介して入金返却口のみを外部に臨ませた状態で使用することにより、装置を破壊して紙幣を盗むのが極めて困難になるので、防盗性が高い。また、入金返却口から挿入された紙幣を繰出部に搬送する紙幣搬送路が紙幣束を長手方向に水平且つ直線的に搬送するように形成されたことにより、紙幣束を湾曲させることがないとともに搬送機構の接触面積が大きいため、搬送中に紙幣が搬送方向にばらけにくく、安定して搬送することができる。
【００４４】
なお、リジェクト紙幣集積部のリジェクト紙幣を再度繰出部に搬送して識別部で識別させるようにした場合には、リジェクト紙幣が再度の識別でＯＫとなって返却紙幣が無くなる場合があるため、顧客が紙幣を入金処理する手間が低減する。
【図面の簡単な説明】
【図１】  本発明の一実施形態である紙幣入金装置１の概略構成を示す斜視図。
【図２】  紙幣入金装置１の上部の側面断面図。
【図３】  紙幣入金装置１の上部の側面断面図。
【図４】  紙幣入金装置１の上部の側面断面図。
【図５】  紙幣入金装置１の上部の側面断面図。
【図６】  紙幣入金装置１の上部の側面断面図。
【図７】  紙幣入金装置１の上部の側面断面図。
【図８】  図７のＡ−Ａ線断面図。
【図９】  紙幣入金装置１による入金処理の手順を示すフローチャート。
【図１０】  紙幣入金装置１による入金処理の手順を示すフローチャート。
【符号の説明】
１  紙幣入金装置
４  入金返却口
１８  繰出部
２８  識別部
Ｂ．Ｐ  紙幣束
Ｒ  紙幣搬送路
Ｒ’返却紙幣搬送路
【図１】
0004007799.tif 000002
【図２】
0004007799.tif 000003
【図３】
0004007799.tif 000004
【図４】
0004007799.tif 000005
【図５】
0004007799.tif 000006
【図６】
0004007799.tif 000007
【図７】
0004007799.tif 000008
【図８】
0004007799.tif 000009
【図９】
0004007799.tif 000010
【図１０】
0004007799.tif 000011